(57)【特許請求の範囲】
【請求項１】
母性行動を誘発し得る、３日齢から７日齢のねずみ等のげっ歯類が発する超音波音声、または、母性行動を誘発し得る、３日齢から７日齢のねずみ等のげっ歯類が発する超音波音声が擬似的に生成された超音波音声を記録した記録媒体。
【請求項２】
前記超音波音声は、寒冷刺激を与えられたねずみ等のげっ歯類のものであることを特徴とする請求項１記載の記録媒体。
【請求項３】
請求項１又は２記載の記録媒体を用いて、記録された超音波音声を再生して、超音波音声を発生することを特徴とする、げっ歯類誘引装置。
【請求項４】
請求項１又は２記載の記録媒体に記録された超音波音声を再生して、超音波音声を発生することで、母ねずみ等の母方のげっ歯類を誘発する誘発方法。
【請求項５】
請求項３記載のげっ歯類誘引装置を備え、誘引された母ねずみ等の母方のげっ歯類を捕獲するげっ歯類捕獲装置。
【発明の詳細な説明】
【技術分野】
【０００１】
本発明は、超音波を発生することによってねずみ等のげっ歯類を誘引する記録媒体、および、それを用いたねずみ等のげっ歯類誘引装置、その誘発方法、それを利用する捕獲装置に関し、ねずみを科学的に探知して誘引することのできるものに関する。
【背景技術】
【０００２】
従来、ねずみ等の小動物を駆除する方法としては、殺鼠剤を用いる方法や、ねずみ捕獲器で捕獲する方法が行われている（例えば、特許文献１、特許文献２参照）。しかし、これらは、手間がかかる上に、捕獲効率が悪く、安全性に対する配慮が不十分であるといった問題があった。
【０００３】
殺鼠剤を用いる方法においては、毒性の高い薬剤を放置することになるため、子供やペットが誤って口にする危険性があり、また殺鼠剤により死に至ったねずみを他の動物が食べることによる環境への影響等の問題がある。
【０００４】
ねずみ捕獲器で捕獲する方法においては、例えばバネ仕掛けの捕獲器では、装置が複雑で設置が難しく、バネの弾力と反発力が強いため、設置の際に誤って怪我をすることがある。また、設置してある装置に誤って触れたりすると、バネが外れて怪我をすることもある。よく利用されるかご式のねずみ捕獲器では、１度に１匹しか捕獲することができず、また、１度ねずみを捕獲した捕獲器にはねずみの臭いが付くために、２匹目が掛り難い、等の問題がある。
【０００５】
粘着剤を板や厚紙等に塗布してねずみを捕獲する方法においては、ねずみが粘着剤の上を通らないと捕獲できないため、広範囲に敷く必要があるが、子供やペットが触れない場所にしか設置することができず、設置場所が制限される。また、粘着剤は、水や油にぬれると粘着力が顕著に低下するため、足が濡れているねずみを捕獲できない、等の問題がある。
【０００６】
さらに、これらの捕獲器はねずみの通り道を狙って設置するために、捕獲効率が悪く、所定の場所や範囲からねずみを完全に駆除することは非常に困難であった。
【０００７】
そこで、近年は、超音波を用いてねずみ等の小動物を撃退する方法が広く行われている（例えば、特許文献３、特許文献４参照）。すなわち、ねずみ等の忌避する周波数の超音波を発生することで、ねずみ等の屋内への侵入を防止する。かかる方法によると、薬剤を用いないため、誤って口にする心配がなく、環境への影響もない。また、複雑で危険な装置を設置する必要がなく、触れて怪我をすることもない。さらに、ねずみ等の通り道から離れた場所にも設置することができ、所定の範囲からねずみを駆除することができる。このような特長から、ねずみ等の小動物の侵入防止装置として、超音波が広く用いられている。
【０００８】
【特許文献１】特許３６３５４２８号公報
【特許文献２】特許３５４７７２１号公報
【特許文献３】特許３５２８７８９号公報
【特許文献４】特開２００３−２５０４２７号公報
【発明の開示】
【発明が解決しようとする課題】
【０００９】
しかしながら、超音波によってねずみ等を撃退する従来の方法では、例えば、以下のような問題があった。すなわち、ねずみ等の音慣れにより、その忌避効果が次第に弱くなるという問題があった。また、超音波を発生しないときには忌避効果が生じないために、永続的に超音波を発生する必要があり、ねずみ等が嫌う超音波を発生し続けることで、人体に悪影響を及ぼす恐れがあるという問題があった。
【００１０】
さらに、超音波による撃退方法では、ねずみ等を追い払うのみで、捕獲することはできず、ねずみ等の数が減ることがないため、根本的な解決には繋がらないという問題があった。
【００１１】
本発明は、このような問題を解決するためになされたものであり、ねずみ等のげっ歯類がコミュニケーションに用いている超音波を利用することによって、ねずみ等を誘引することができる超音波音声を記録した記録媒体、および、それを用いて、ねずみ等のげっ歯類を誘引し捕獲することができる、ねずみ等のげっ歯類誘引装置、その方法、それを用いたげっ歯類捕獲装置を提供することを目的とする。
【課題を解決するための手段】
【００１２】
以上のような課題を解決するために、本発明は、以下のものを提供する。
【００１３】
（１）  母性行動を誘発し得る、３日齢から７日齢のねずみ等のげっ歯類が発する超音波音声、または、母性行動を誘発し得る、３日齢から７日齢のねずみ等のげっ歯類が発する超音波音声が擬似的に生成された超音波音声を記録した記録媒体。
（２）  前記超音波音声は、寒冷刺激を与えられたねずみ等のげっ歯類のものであることを特徴とする記録媒体。
【００１４】
本発明によれば、母性行動を誘発し得る、ねずみ等のげっ歯類が発する超音波音声を記録した記録媒体を用いて、かかる超音波音声を再生して超音波音声を発生することによって、効率的かつ安全に、ねずみ等のげっ歯類を誘引し、捕獲することができる。
【００１５】
超音波を発生する哺乳類としては、コウモリ類やクジラ類、ねずみ等のげっ歯類が知られている。ねずみ等のげっ歯類では、成体のねずみ等はほとんど超音波を発しないが、授乳期の子ねずみ等はよく超音波を発生し、母ねずみ等とコミュニケーションを行っている。子ねずみ等による超音波音声は、母ねずみ等と引き離されたときに特に頻繁に発生し、子ねずみ等に寒冷刺激を与えると、その頻度は増加する。そして、この超音波音声は、母ねずみ等の母性行動を誘発し、母ねずみ等を子ねずみ等へと向かわせるものである。
【００１６】
本発明は、この母性行動を利用するものであり、子ねずみ等が発生する超音波音声を記録媒体に記録して、その記録媒体を用いて超音波音声を発生することによってその発生源へ母ねずみ等を誘引し、捕獲することができる。また、母ねずみ等を捕獲することにより、残された子ねずみ等は授乳されずに生きていくことができなくなるため、子ねずみ等の駆除にも資することができる。
【００１７】
なお、本発明は、ねずみに限らず、ハムスターなど、他のげっ歯類に対しても、用いることが可能である。
【００１９】
本発明によれば、母性行動を誘発し得る、ねずみ等のげっ歯類が発する超音波音声を分析し、擬似的に生成された超音波音声を記録した記録媒体を用いて、超音波音声を発生することによって、効率的かつ安全に、ねずみ等のげっ歯類を誘引し、捕獲することができる。
【００２０】
すなわち、子ねずみ等が発生する超音波音声を分析して、母ねずみ等が誘引される周波数域の超音波音声を擬似的に生成して記録媒体に記録し、その記録媒体を用いて超音波を発生することによってその発生源へ母ねずみ等を誘引し、捕獲することができる。
【００２１】
なお、本発明は、ねずみに限らず、ハムスターなど、他のげっ歯類に対しても、用いることが可能である
【００２２】
（３）  （１）又は（２）記載の記録媒体を用いて、記録された超音波音声を再生して、超音波音声を発生することを特徴とする、げっ歯類誘引装置。
【００２３】
本発明によれば、ねずみ等のげっ歯類が発する超音波音声を記録した超音波音声、又は、その超音波音声を分析し、擬似的に生成された超音波音声を発生するげっ歯類誘引装置を用いることにより、効率的かつ安全に、ねずみ等のげっ歯類を誘引し、捕獲することができる。
【００２４】
すなわち、子ねずみ等が発生する超音波音声を記録した超音波音声、又は、子ねずみ等が発生する超音波音声を分析して、母ねずみ等が誘引される周波数の超音波音声を擬似的に生成した超音波音声、を、発生するげっ歯類誘引装置を用いて、そのげっ歯類誘引装置へ母ねずみ等を誘引し、捕獲することができる。
【００２５】
なお、本発明は、ねずみに限らず、ハムスターなど、他のげっ歯類に対しても、用いることが可能である。
【００２６】
（４）    （１）又は（２）記載の記録媒体に記録された超音波音声を再生して、超音波音声を発生することで、母ねずみ等の母方のげっ歯類を誘発する誘発方法。
【００２７】
本発明によれば、母性行動を誘発し得る超音波音声が記録された記録媒体を用いて、この記録媒体上の超音波音声を超音波スピーカ等の音発生手段で再生し、超音波を発生させることで、かかる超音波音声を聴きつけたげっ歯類を誘引することができるので、げっ歯類の捕獲に資することとなる。
【００２８】
（５）  （３）記載のげっ歯類誘引装置を備え、誘引された母ねずみ等の母方のげっ歯類を捕獲するげっ歯類捕獲装置。
【００２９】
本発明によれば、擬似的に生成された超音波音声を発生するげっ歯類誘引装置を備えるげっ歯類捕獲装置を用いることにより、げっ歯類誘引装置によって誘引された母ねずみ等を、効率的かつ安全に、捕獲することができる。
【発明の効果】
【００３０】
以上説明したように、本発明によれば、ねずみ等のげっ歯類がコミュニケーションに用いている超音波を利用することによって、効率的かつ安全に、ねずみ等を誘引し、捕獲することができる、ねずみ等のげっ歯類誘引装置、及びげっ歯類捕獲装置を提供することができる。
【発明を実施するための最良の形態】
【００３１】
以下、本発明の実施の形態を、図面を参照しながら説明する。
【００３２】
図１は、本発明の実施の形態に係るげっ歯類誘引装置の概略構成を示す図である。
【００３３】
図１（ａ）に示すげっ歯類誘引装置２０において、ケージ１には、周囲の雑音の影響を避けるために、消音手段が設けられている。ケージ１内のねずみ等のげっ歯類の子（以下、「子ねずみ」という）２には、冷却手段３により寒冷刺激が与えられ、これによって子ねずみ２は超音波音声を発生する。ケージ１内には、子ねずみ２の発する超音波を集音するための集音マイク４が備えられ、集音マイク４は、集音した超音波音声をコンピュータ５へ送出する。集音マイク４から入力された超音波音声は、コンピュータ５内の記録手段７によって、記録媒体１０に記録される。あるいは、コンピュータ５内の音声分析手段６によって波形分析された後、擬似的に生成された特有の周波数をもつ超音波音声が、記録手段７によって、記録媒体１０に記録される。
【００３４】
記録媒体１０に記録された超音波音声は、コンピュータ５内の音声出力手段８によって音声出力装置であるスピーカ９へと出力され、スピーカ９によって超音波音声が発生する。スピーカ９から発生する超音波音声は、母ねずみの母性行動を誘発し、母ねずみ等を誘引することによって、スピーカ９の付近に集まってくる母ねずみ等を捕獲することができる。
【００３５】
図１（ｂ）に示すげっ歯類誘引装置２０においては、上述の手段によって作製された記録媒体１０を用い、記録媒体１０に記録された超音波音声は、音声分析手段や記録手段を備えない音声出力手段８によって、音声出力装置であるスピーカ９へ出力される。スピーカ９から発生する超音波音声は、母ねずみ等を誘引し、集まってくる母ねずみ等を捕獲することができる。
【００３６】
ここで、超音波音声のサンプルをとる子ねずみ２には、３日齢から７日齢の子ねずみを用いる。好ましくは３日齢から５日齢を用いるのがよい。後に述べるように、生後３日から７日の子ねずみは、より多く超音波音声を発生するためである。
【００３７】
なお、超音波音声の記録や出力等に用いる装置は、上述のコンピュータ５に限られるものではなく、例えばテープレコーダーなど、超音波音声を記録媒体１０に記録することができる記録手段７、又は、超音波音声を出力することができる音声出力手段８を有する、公知の装置を用いることができる。また、記録媒体１０としては、テープ、ＤＡＴ、ＣＤ、ＭＤ、ＨＤＤ等の既知の媒体を用いることができる。
【００３８】
図８は、本発明の実施の形態に係るげっ歯類捕獲装置の概略構成を示す図である。
【００３９】
図８（ａ）及び（ｂ）に示すげっ歯類捕獲装置２１は、上述したげっ歯類誘引装置２０と、げっ歯類誘引装置２０のスピーカ９から発生する超音波音声によって誘引された母ねずみ等を捕獲するための捕獲器２２と、を備えている。捕獲器を備えることにより、超音波音声によって誘引された母ねずみ等を効率的に捕獲することができる。捕獲器２２は、スピーカ９をその内部に配設してあるか、または、スピーカ９の近く（スピーカ９からの音声が捕獲器内部に効果的に届く位置）に配置されていることが望ましい。捕獲器２２には、例えば粘着式、カゴ式、バネ式などの、公知の捕獲器を用いることができ、誘引されたげっ歯類を捕獲することができるものであればその捕獲方法は問わない。
【００４０】
図２は、子ねずみの日齢と超音波音声発生の関係を示す図である。図２においては、すなねずみ（Ｍｏｇｏｌｉａｎ  ｇｅｒｂｉｌ）、ハムスター（Ｓｙｒｉａｎ  Ｈａｍｓｔｅｒ）、はたねずみ（Ｖｏｌｅ）、どぶねずみ（Ｒａｔ）、はつかねずみ（Ｍｏｕｓｅ）の５種について示している。
【００４１】
図２において、横軸は子ねずみの日齢を示し、縦軸は超音波音声の発生率を示す。図２によれば、種類による違いはあるが、ほとんどのげっ歯類が、３日齢から７日齢でより多い超音波音声を発生しており、特に３日齢から５日齢が顕著である。従って、本発明において、効率的に超音波音声を集音するためには、３日齢から７日齢、好ましくは３日齢から５日齢の子ねずみを用いるのがよい。
【００４２】
図３は、３日齢の子ねずみが発生する超音波音声の周波数を示す図である。
【００４３】
図３において、横軸は周波数を示し、縦軸はげっ歯類の種類を示す。各々のげっ歯類は、この周波数域で反応を示すため、使用するげっ歯類の種類によって、周波数域を設定する必要がある。例えば、どぶねずみ（Ｒａｔ）は略４５ｋＨｚ、はつかねずみ（Ｍｏｕｓｅ）は略５５ｋＨｚの周波数域を設定すればよい。
【００４４】
以下に本発明の有効性を試験例を基に説明するが、本発明はこれらの試験例に限定されるものではない。
【００４５】
（試験例１）母ねずみの行動について
【００４６】
図６は、試験例１の試験方法を説明するための説明図である。
【００４７】
試験方法：７日齢のラット（どぶねずみ）を用いて実験が行われた。母ねずみ４０は、７日齢の子ねずみ４１と共に、ウッドチップの敷かれたプラスチックケージ３２の中に入れられており、プラスチックケージ３２は、周囲の雑音を避けるためにインキュベーター３１の中に置かれている。子ねずみのうちの一匹４２は、母ねずみ４０から引き離されて、５００ｍｌのガラスビーカー３３に入れられ、プラスチックケージ３２の横に置かれている。ガラスビーカー３３には、子ねずみ４２が発する超音波音声を確認するために、コンデンサーマイク３５が設置されている。
【００４８】
実験は、３つのグループに分けて行なわれた。ＵＳＶグループ（ｎ＝７）では、寒冷刺激を与えられた子ねずみ４２が超音波音声を発生したときの、母ねずみ４０の行動を観察するために、子ねずみ４２が入れられたガラスビーカー３３を、氷嚢３４（１４±３℃）の上に７分間置いて実験を行った（図６（ａ））。ＳＭＬグループ（ｎ＝６）では、ＵＳＶグループの実験結果が、匂いによるものである可能性を排除するために、回帰神経が除去され、超音波音声を発生できない子ねずみ４２が入れられたガラスビーカー３３を、７分間置いて実験を行った。ＩＮＴグループ（ｎ＝６）では、母ねずみ４０が入れられたプラスチックケージ３２内の子ねずみ４１から、超音波音声が発生していないことを確認するために、子ねずみ４２の入れられたビーカー３３は置かずに、プラスチックケージ３２にコンデンサーマイク３５を設置して実験を行った（図６（ｂ））。
【００４９】
試験結果：ＵＳＶグループでは、全ての母ねずみに母性行動が観察された。すなわち、子ねずみが超音波音声を発生している間、７匹全ての母ねずみがウッドチップの巣の中で子ねずみを探した。観察を続けると、７匹中４匹は、子ねずみを探してウッドチップの巣から離れたり巣に戻ったりし、また、４匹は、ウッドチップを集めて巣を作り直した。ＳＭＬグループとＩＮＴグループでは、いずれもこのような母性行動は観察されなかった。
【００５０】
この結果より、子ねずみの発生する超音波音声が母ねずみの母性行動を誘発していることが確認された。
【００５１】
（試験例２）子ねずみが発生する超音波音声の分析
【００５２】
図７は、試験例２の試験方法を説明するための説明図である。
【００５３】
試験方法：３日齢のラット（どぶねずみ）を用いて実験が行われた。３日齢の子ねずみ４３は、母ねずみから離されて５００ｍｌのガラスビーカー３３に入れられ、ガラスビーカー３３にはコンデンサーマイク３５が設置された。子ねずみが発生する超音波音声は、コンデンサーマイク３５によって集音され、コンピュータに送られて音声分析される。実験は、ガラスビーカー３３を、インキュベーター３１の中の氷嚢３４（１５±２℃）の上に５分間置いて行われ（図７）、その間に子ねずみが発生する超音波音声を分析した。
【００５４】
試験結果：子ねずみが発生した超音波音声には、特徴的な４つのパターンが多く見られた。図４及び図５に、子ねずみが発生する超音波音声の例を示す。
【００５５】
図４において、横軸は子ねずみが発生する超音波音声の時間を示し、縦軸はその周波数を示す。子ねずみは、Ｒ−ＩからＲ−ＩＶに示す４つのパターンの超音波音声を、多く発生した。
【００５６】
図５において、横軸は超音波音声の周波数を示し、縦軸はその強度を示す。図４のＲ−ＩからＲ−ＩＶの超音波音声について、それぞれの周波数強度を示した。
【００５７】
これらの結果より、子ねずみの発生する超音波音声には、ある一定の規則性があることが確認された。この特徴的な超音波音声を擬似的に生成して発生させることにより、母ねずみを誘引することが可能となる。また、Ｒ−ＩからＲ−ＩＶを言語学的にどのような音なのかを解析して、Ｒ−ＩからＲ−ＩＶのいずれかより選ばれる少なくとも一の超音波音声を用いることで、ねずみ等のげっ歯類を誘引し、捕獲することができる。
【産業上の利用可能性】
【００５８】
本発明に係る、超音波音声を記録した記録媒体、および、それを用いたねずみ等のげっ歯類誘引装置は、効率的かつ安全に、ねずみ等のげっ歯類を誘引し、捕獲することができる、超音波音声を記録した記録媒体、および、それを用いたねずみ等のげっ歯類誘引装置、げっ歯類捕獲装置を提供しうるものとして有用である。
【図面の簡単な説明】
【００５９】
【図１】本発明の実施の形態に係るげっ歯類誘引装置の概略構成を示す図である。
【図２】子ねずみの日齢と超音波音声発生の関係を示す図である。
【図３】子ねずみが発生する超音波音声の周波数を示す図である。
【図４】子ねずみが発生する超音波音声の例を示す図である。
【図５】子ねずみが発生する超音波音声の例を示す図である。
【図６】試験例１の試験方法を説明するための説明図である。
【図７】試験例２の試験方法を説明するための説明図である。
【図８】本発明の実施の形態に係るげっ歯類捕獲装置の概略構成を示す図である。
【符号の説明】
【００６０】
１  ケージ
２  子ねずみ（げっ歯類の子）
３  冷却手段
４  集音マイク
５  コンピュータ
６  音声分析手段
７  記録手段
８  音声出力手段
９  スピーカ
１０  記録媒体
２０  げっ歯類誘引装置
２１  げっ歯類捕獲装置
２２  捕獲器
３１  インキュベーター
３２  プラスチックケージ
３３  ガラスビーカー
３４  氷嚢
３５  コンデンサーマイク
４０  母ねずみ
４１〜４３  子ねずみ
【図１】
0004585440.tif 000002
【図２】
0004585440.tif 000003
【図３】
0004585440.tif 000004
【図４】
0004585440.tif 000005
【図５】
0004585440.tif 000006
【図６】
0004585440.tif 000007
【図７】
0004585440.tif 000008
【図８】
0004585440.tif 000009